(57)【要約】      （修正有）【課題】ペーパーシュレッダーから出るシュレッダーダストを簡単に圧縮して嵩を減らせるようにしたシュレッダー用塵袋を提供する。【解決手段】軟質の合成樹脂材料を用いて開口１２１を有する袋状に製作され、開口は密封可能に構成されている一方、袋状の部分には加圧によって内部の空気を抜くことができかつ外部からの空気の侵入を阻止し得る空気抜き部１２５、１２７が形成される。シュレッダーダストを詰め込んだ塵袋を圧縮するのに用いる圧縮装置は、塵袋が搭載されるベースと、ベースに対面して設けられ、塵袋を加圧する加圧部材と、加圧部材の背面にばね部材を介して連結され、加圧部材を押し引きする伸縮機構と、伸縮機構を伸縮させる駆動機構とから構成される。【選択図】図５
2009102065.tif 000002
【特許請求の範囲】
【請求項１】
ペーパーシュレッダーから取り出されたシュレッダーダストを入れるのに適
したシュレッダーダスト用塵袋において、
軟質の合成樹脂材料を用いて開口を有する袋状に製作され、上記開口は密封
可能に構成されている一方、上記袋状の部分には加圧によって内部の空気を抜
くことができかつ外部からの空気の侵入を阻止し得る空気抜き部が形成されて
いることを特徴とするシュレッダーダスト用塵袋。
【請求項２】
上記開口の周縁の一部には封止片部が一体的に設けられ、該封止片部には粘
着剤が塗布されるとともに剥離紙が貼り付けられ、上記開口は上記剥離紙を剥
離した封止片を上記開口の周縁の残部に向けて折り返すことによって密封され
るようになっている請求項１記載のシュレッダーダスト用塵袋。
【請求項３】
上記開口はヒートシールによって密封されるようになっている請求項１記載
のシュレッダーダスト用塵袋。
【請求項４】
上記空気抜き部は、上記袋状の部分に形成された空気抜き穴と、該空気抜き
穴を封止し得る粘着テープとから構成されている請求項１記載のシュレッダー
ダスト用塵袋。
【請求項５】
上記空気抜き部は、上記袋状の部分に形成された空気抜き穴と、上記袋状の
部分に一体的に形成され、表面に粘着剤が塗布され、折り返されて上記袋状の
部分に貼着されることによって上記空気抜き穴を密封する粘着辺部と、から構
成されている請求項１記載のシュレッダーダスト用塵袋。
【請求項６】
上記空気抜き部は、上記袋状の側縁部分に形成された空気抜き穴と、該空気
抜き穴の内側に設けられ、上記袋状の表裏のシートを相互に固着した帯状のシ
ール部と、該シール部に形成され、上記袋状の内部と上記空気抜き穴との間を
連通する細径の空気流通路と、から構成されている請求項１記載のシュレッダ
ーダスト用塵袋。
【請求項７】
上記空気抜き部は、上記袋状の側縁部分に形成された空気抜き穴と、リボン
又は紐の引張りによって移動し得るように上記袋状の側縁部分の表裏のシート
の間に設けられ、上記空気抜き穴を密封し得る粘着片部と、上記空気抜き穴の
内側に設けられ上記袋状の表裏のシートを固着した帯状のシール部と、該シー
ル部に形成され、上記袋状の内部と上記空気抜き穴との間を連通する細径の空
気流通路と、から構成されている請求項１記載のシュレッダーダスト用塵袋。
【請求項８】
上記空気抜き部は、上記袋状の側縁部分に形成された空気抜き穴と、該空気
抜き穴の内側の表裏のシートの間に介在されたシート片と、該シート片と表裏
のシートとを通路の形状に固着して形成され、外気圧を受けて閉鎖され得る空
気流通路と、から構成されている請求項１記載のシュレッダーダスト用塵袋。
【請求項９】
シュレッダーダストを詰め込んだ塵袋を圧縮するのに用いる圧縮装置におい
て、
上記塵袋が搭載されるベースと、
該ベースに対面して設けられ、上記塵袋を加圧する加圧部材と、
該加圧部材の背面にばね部材を介して連結され、上記加圧部材を押し引きす
る伸縮機構と、
上記伸縮機構を伸縮させる駆動機構と、
を備えたことを特徴とする塵袋の圧縮装置。
【請求項１０】
上記伸縮機構は、外周面に雄ねじが形成された回転軸と、該回転軸に螺合さ
れ上記回転軸の回転によって螺進及び螺退される一対の雌ねじ部材と、Ｘ状又
はパンタグラフ状をなし、上記一対の雌ねじ部材に連結されたリンク機構と、
該リンク機構の下端に連結され、上記加圧部材にばね部材を介して連携される
昇降プレートと、から構成されている請求項９記載の塵袋の圧縮装置。
【請求項１１】
上記回転軸は、駆動モータによって回転されるようになっている請求項９記
載の塵袋の圧縮装置。
【請求項１２】
上記回転軸は、ハンドルの回転操作によって回転されるようになっている請
求項９記載の塵袋の圧縮装置。
【請求項１３】
上記伸縮機構は、Ｘ状又はパンタグラフ状をなし、上端が装置ハウジングに
スライド可能に支持されたリンク機構と、該リンク機構を伸縮させるアクチュ
エータと、上記リンク機構の下端に連結され、上記加圧部材にばね部材を介し
て当接される昇降プレートと、から構成されている請求項９記載の塵袋の圧縮
装置。
【請求項１４】
上記加圧部材には上記塵袋に空気抜き穴を穿孔する穿孔針が取付けられてい
る請求項１０記載の塵袋の圧縮装置。
【発明の詳細な説明】
【技術分野】
【０００１】
この発明はシュレッダーダスト用塵袋及びその圧縮装置に関し、特にペーパ
ーシュレッダーから出るシュレッダーダストを簡単に圧縮して嵩を減らせるよ
うにした塵袋及び装置に関する。
【背景技術】
【０００２】
最近、個人情報保護の観点から、郵便物の宛て名などの各種の書類から個人
情報が洩れないように、書類を裁断するペッパーシュレッダーが事業所だけで
なく、家庭にも普及する傾向にある。このペーパーシュレッダーではシュレッ
ダーダストが一定量溜まると、シュレッダーダストを廃棄する必要がある。
【０００３】
従来、ペーパーシュレッダーからシュレッダーダストを取り出してポリエチ
レン製の塵袋に押し込み、塵袋を手で押さえて空気を抜きながら、塵袋の開口
部を結んだり粘着テープで貼り付け、塵の収集場所まで運ぶことが一般的に行
われている。
【０００４】
しかし、塵袋を押さえるだけでは塵袋から空気を抜くのに限度があり、又塵
袋の開口部を結び粘着テープで貼り付けるだけでは開口部の隙間から空気が塵
袋内に入り込み、ペーパーシュレッダーの復元力によって塵袋が嵩高になって
しまい、収集場所まで運ぶのが煩わしい。
【０００５】
これに対し、塵袋の開口部にノズルを差し込み、空気を吸引して塵袋の嵩を
減らすようにした塵袋の縮小器具（特許文献１）、プレス機によって塵袋を圧
縮することにより減容させるようにした塵袋の減容装置（特許文献２）、エア
ーの供給によってバルーンを膨らませて塵袋を圧縮するようにした塵袋の圧縮
装置（特許文献３、特許文献４）、が提案されている。
【０００６】
【特許文献１】特開平０４−１４６７１１号公報
【特許文献２】特開２００６−３６４９６号公報
【特許文献３】特開２００４−１１５１８５号公報
【特許文献４】特開２００４−１１５１８３号公報
【発明の開示】
【発明が解決しようとする課題】
【０００７】
しかし、特許文献１記載の器具では身近に空気の吸引機器がないと使用でき
ない。また、特許文献２〜４記載の装置ではエアーやオイルを供給する供給源
を必要とし、装置が大型化してしまう。
【０００８】
本発明はかかる問題点に鑑み、ペーパーシュレッダーから出るシュレッダー
ダストを簡単に圧縮して嵩を減らせるようにしたシュレッダーダスト用塵袋及
びその圧縮装置を提供することを課題とする。
【課題を解決するための手段】
【０００９】
そこで、本発明に係るシュレッダーダスト用塵袋は、ペーパーシュレッダー
から取り出されたシュレッダーダストを入れるのに適したシュレッダーダスト
用塵袋において、軟質の合成樹脂材料を用いて開口を有する袋状に製作され、
上記開口は密封可能に構成されている一方、上記袋状の部分には加圧によって
内部の空気を抜くことができかつ外部からの空気の侵入を阻止し得る空気抜き
部が形成されていることを特徴とする。
【００１０】
本発明の特徴の１つはシュレッダーダスト用塵袋の開口を密封し、加圧によ
って空気抜き部から内部の空気を抜くとともに空気の侵入を阻止し得るように
した点にある。
【００１１】
これにより、塵袋にシュレッダーダストを押し込み、開口を密封し、塵袋を
加圧すると、内部の空気が抜けるとともに、内部に空気が侵入しないので、塵
袋を圧縮したコンパクトな大きさに保持でき、収集場所まで容易に運ぶことが
できる。
【００１２】
開口は密封可能に構成されていればよく、例えば開口の周縁の一部には封止
片部を一体的に設け、封止片部には粘着剤を塗布するとともに剥離紙を貼り付
け、剥離紙を剥離した封止片を開口の周縁の残部に向けて折り返すことによっ
て開口を密封するように構成することができる。
【００１３】
また、開口周縁部分の少なくとも対向する内面をヒートシール可能な材質で
製作し又は表面処理し、ヒートシールによって開口を密封するように構成する
ことができる。
【００１４】
また、空気抜き部は加圧によって内部の空気を抜くことができかつ外部から
の空気の侵入を阻止し得る構造であればよい。
【００１５】
例えば、空気抜き部は、袋状の部分に形成された空気抜き穴と、空気抜き穴
を封止し得る粘着テープとから構成されることができる。
【００１６】
また、空気抜き部は、袋状の部分に形成された空気抜き穴と、袋状の部分に
一体的に形成され、表面に粘着剤が塗布され、折り返されて袋状の部分に貼着
されることによって空気抜き穴を密封する粘着辺部と、から構成されることも
できる。
【００１７】
さらに、空気抜き部は、袋状の側縁部分に形成された空気抜き穴と、空気抜
き穴の内側に設けられ、袋状の表裏のシートを相互に固着した帯状のシール部
と、シール部に形成され、袋状の内部と空気抜き穴との間を連通する細径の空
気流通路と、から構成することができる。
【００１８】
この場合、細径の空気流通路には外側から外気圧が作用して閉鎖されるが、
塵袋が加圧されて内部の圧力が高くなると、内部の空気が閉鎖された細径の空
気流通路を押し広げながら通って空気抜き穴に抜けることができる。逆に、空
気抜き穴から塵袋内部に空気が侵入しようとしても、外気圧によって外側から
加圧されて閉鎖されるので、侵入することはできない。
【００１９】
また、空気抜き部は、袋状の側縁部分に形成された空気抜き穴と、リボン又
は紐の引張りによって移動し得るように袋状の側縁部分の表裏のシートの間に
設けられ、空気抜き穴を密封し得る粘着片部と、空気抜き穴の内側に設けられ
、袋状の表裏のシートを固着した帯状のシール部と、シール部に形成され、袋
状の内部と空気抜き穴との間を連通する細径の空気流通路と、から構成される
ことができる。
【００２０】
さらに、空気抜き部は、袋状の側縁部分に形成された空気抜き穴と、空気抜
き穴の内側の表裏のシートの間に介在されたシート片と、シート片と表裏のシ
ートとを通路の形状に固着して形成され、外気圧を受けて閉鎖され得る空気流
通路と、から構成されることもできる。
【００２１】
上述のように、塵袋の開口を密封した後、塵袋を加圧すると、空気抜き部か
ら内部の空気が抜けてコンパクトになるが、急激に加圧すると、空気抜き部か
ら空気が抜ける速度が加圧による減容速度に比して遅く、塵袋が破裂するおそ
れがある。そこで、緩衝を与えながら塵袋を加圧するのが望ましい。
【００２２】
そこで、本発明に係る塵袋の圧縮装置は、シュレッダーダストを詰め込んだ
塵袋を圧縮するのに用いる圧縮装置において、上記塵袋が搭載されるベースと
、該ベースに対面して設けられ、上記塵袋を加圧する加圧部材と、該加圧部材
の背面にばね部材を介して連結され、上記加圧部材を押し引きする伸縮機構と
、上記伸縮機構を伸縮させる駆動機構と、を備えたことを特徴とする。
【００２３】
塵袋に直接的に加圧力を加えるのではなく、ばね部材を介して塵袋に加圧力
を加えるようにしているので、塵袋の開口が密封されていても、塵袋の圧縮に
遅れを与えることができ、塵袋が破裂するおそれがない。
【００２４】
伸縮機構は加圧部材の背面にばね部材を介して連結され、加圧部材を押し引
きできる機構であればよい。例えば、伸縮機構は、外周面に雄ねじが形成され
た回転軸と、回転軸に螺合され、回転軸の回転によって螺進及び螺退される一
対の雌ねじ部材と、Ｘ状又はパンタグラフ状をなし、一対の雌ねじ部材に連結
されたリンク機構と、リンク機構の下端に連結され、加圧部材にばね部材を介
して連携される昇降プレートと、から構成されることができる。
【００２５】
ここで、回転軸は、駆動モータによって回転されるように構成することがで
き、又ハンドルの回転操作によって回転されるように構成することもできる。
【００２６】
また、伸縮機構は、Ｘ状又はパンタグラフ状をなし、上端が装置ハウジング
にスライド可能に支持されたリンク機構と、リンク機構を伸縮させるアクチュ
エータ、例えばエアーシリンダや油圧シリンダと、リンク機構の下端に連結さ
れ、加圧部材にばね部材を介して連携される昇降プレートと、から構成される
ことができる。
【００２７】
加圧部材には塵袋に空気抜き穴を穿孔する穿孔針を取付け、圧縮装置を利用
して空気抜き穴を穿設するようにしてもよい。
【発明を実施するための最良の形態】
【００２８】
以下、本発明を図面に示す具体例に基づいて詳細に説明する。図１ないし図
７は本発明に係るシュレッダーダスト用塵袋及びその圧縮装置の好ましい実施
形態を示す。図において、塵袋の圧縮装置１０は四角形ボックス状のケース１
１を備え、ケース１１の前面には扉１２が開閉可能に設けられ、ケース１１の
底部にはベース板１３が配置されている。
【００２９】
ケース１１内には上下の加圧プレート１４、１５が設けられ、両加圧プレー
ト１４、１５の間にはコイルばね（ばね部材）１６が介在され、上側の加圧プ
レート１５の中央には一対の傾動アーム１７の下端が取付けブラケット１８に
回転自在に取付けられている。
【００３０】
この一対の傾動アーム１７の上端にはＸ状リンク１９の下端が各々回転自在
に連結され、Ｘ状リンク１９の上端は取付けピンによって雌ねじ部材２０Ａ、
２０Ｂに回転可能に取付けられている。
【００３１】
また、ケース１１内の上部には回転軸２１が水平方向に延びて設けられ、そ
の両端は軸受２２によって回転自在に支持され、回転軸２２の一端はギアード
モータ（駆動機構）２３の出力軸に連結されている。この回転軸２１の外周面
には右半部と左半部とで相互に逆向きの雄ねじ２１Ａが形成され、雄ねじ２１
Ａには雌ねじ部材２０Ａ、２０Ｂが螺合されており、回転軸２１の回転・逆転
によって雌ねじ部材２０Ａ、２０Ｂが螺進及び螺退されてＸ状リンク１９及び
傾動アーム１７が伸縮されるようになっている。
【００３２】
以上の傾動アーム１７、Ｘ状リンク１９によってＸ状のリンク機構が構成さ
れ、このリンク機構、雄ねじ部材２０Ａ、２０Ｂ及び回転軸２１によって加圧
プレート１４、１５を押し引きする伸縮機構が構成されている。
【００３３】
図４はギアードモータ２３の制御系を示す。図において、３０は１００Ｖの
商用電源、３１はシーケンサ又はマイクロコンピュータによって構成されるコ
ントローラ、３２は上下の加圧プレート１４、１５が相互に所定の間隔以下に
なったことを検知する加圧リミットスイッチ、３３は扉１２の開閉を検知する
扉リミットスイッチ、３４は上側加圧プレート１５の上限位置を検知する上昇
リミットスイッチ、３５は操作ボタン及びランプを備えた操作盤である。
【００３４】
図５及び図６はシュレッダーダスト用塵袋の１例を示す。塵袋１２０は軟質
のポリエチレン樹脂を用いて開口１２１を有する矩形の袋状に製作され、開口
１２１の周縁の半部には封止片部１２２が一体的に設けられ、封止片部１２２
には粘着剤１２３が塗布されるとともに剥離紙１２４が貼り付けられている。
【００３５】
塵袋１２０の両側部分には複数の空気抜き穴１２５が間隔をあけて形成され
、又空気抜き穴１２５の内側には塵袋の表裏のシートを熱圧着又は接着剤によ
って固着した帯状のシール部１２６が形成され、シール部１２６には塵袋の内
部と空気抜き穴１２５との間を連通する細径Ｖ字状の複数の空気流通路１２７
が相互に間隔をあけて形成されている。
【００３６】
ペーパーシュレッダーからシュレッダーダストを取り出すと、本例のシュレ
ッダー用塵袋１２０にできるだけ押し込み、剥離紙１２４を剥がして封止片部
１２２を折り返し、開口１２１を密封する。
【００３７】
次に、圧縮装置１０の扉１２を開き、シュレッダーダストを詰め込んだ塵袋
１２０をベース板１３上に載せ、扉１２を閉じた後、操作盤３５の加圧ボタン
を押す。すると、扉リミットスイッチ３２及び加圧スイッチ３３がＯＮとなっ
ているので、ギアードモータ２３が通電されて回転軸２１を回転させ、Ｘ状リ
ンク１９及び傾動アーム１７が伸長し、上下の加圧プレート１５、１４が下降
する。
【００３８】
下側の加圧プレート１４が塵袋１２０に接触し、さらに加圧プレート１５、
１４が下降すると、図７の(a)に示されるように、塵袋１２０が圧縮され、塵
袋１２０内の空気は空気流通路１２７及び空気抜き穴１２５を経て大気に放出
される。
【００３９】
このとき、上下の加圧プレート１５、１４の間にコイルばね１６が介設され
ているので、上側の加圧プレート１５の加圧力はコイルばね１６によって緩衝
されながら下側の加圧プレート１４を経て塵袋１２０に加えられるので、塵袋
１２０に無理に圧縮されて破裂するおそれはない。
【００４０】
塵袋１２０がそれ以上圧縮できない厚みまでなり、加圧プレート１５がさら
に下降すると、上下の加圧プレート１５、１４の間の間隔が狭くなり、所定の
間隔以下にあると、加圧リミットスイッチ３３がＯＦＦとなり、コントローラ
３１はギアードモータ２３への通電を停止する。
【００４１】
加圧プレート１５１、４の下降が停止すると、塵袋１２０が完全に圧縮され
たことが分かるので、操作盤３５の待機ボタンをＯＮする。加圧リミットスイ
ッチ３３がＯＦＦとなると、上昇リミットスイッチ３４がＯＮとなるので、今
度はギアードモータ２３が回転軸２１を逆転させ、Ｘ状リンク１９及び傾動ア
ーム１７が収縮し、上下の加圧プレート１５、１４が上昇する。
【００４２】
上下の加圧プレート１５、１４が上限の位置まで上昇すると、上昇リミット
スイッチ３４がＯＦＦとなり、ギアードモータ２３への通電が停止されるので
、扉１２を開くと、図７の(b)に示されるように完全に圧縮された塵袋１２０
を取り出すことができる。
【００４３】
ところで、上述のように塵袋１２０への圧縮が停止されると、塵袋１２０内
への空気の逆流が懸念されるが、本例では大気圧によって空気流通路１２７が
閉じられるので、空気抜き穴１２５から塵袋１２０の内部に空気が侵入するこ
とはなく、塵袋１２０はコンパクトな大きさを保持することとなる。
【００４４】
なお、操作盤３５の停止ボタンは加圧プレート１４、１５を昇降させている
途中で必要なときに昇降を停止させるためのボタンである。
【００４５】
図８及び図９は塵袋の圧縮装置の第２の実施形態を示し、図１ないし図３と
同一符号は同一又は相当部分を示す。本例では第１の実施形態におけるギアー
ドモータ２３に代え、ハンドル４０及びペダル４４を採用している。即ち、回
転軸２１はハンドル４０の回転軸４２が連結され，ハンドル４０の回転軸４に
は小径のギア４３が取付けられ、小径のギア４３はチェーン４７によって大径
のギア４６に連結され、大径のギア４６はペダル４４の回転軸４５に取付けら
れている。
【００４６】
ハンドル４０及びペダル４４を回転させると、Ｘ状リンク１９及び傾動アー
ム１７が伸長し、上下の加圧プレート１５、１４が下降して塵袋１２０を圧縮
できる一方、ハンドル４０及びペダル４４を逆転させると、Ｘ状リンク１９及
び傾動アーム１７が収縮し、上下の加圧プレート１５、１４を上昇させること
ができる。
【００４７】
図１１及び図１２はシュレッダーダスト用塵袋の第２の実施形態を示し、図
５及び図６と同一符号は同一又は相当部分を示す。本例では空気流通路１２７
に代え、粘着テープ１３０を採用している。粘着テープ１３０の粘着面には一
部を残して剥離紙１３１が貼り付けられ、粘着テープ１３０の残った粘着面は
塵袋１２０の空気抜き穴１２５の近傍に粘着されている。
【００４８】
本例ではシュレッダーダストを押し込んだ塵袋１２０を圧縮装置１０によっ
て圧縮した後、粘着テープ１３０の剥離紙１３１を剥がし、空気抜き穴１２５
を密封すると、塵袋１２０内に空気が侵入せず、圧縮した塵袋１２０が膨らむ
ことはない。
【００４９】
図１２及び図１３はシュレッダーダスト用塵袋の第３の実施形態を示し、図
５及び図６と同一符号は同一又は相当部分を示す。本例では塵袋１２０の三周
縁には塵袋の表裏のシートを熱圧着又は接着剤によって固着したシール部１２
６が形成され、一側縁のシール部１２６には塵袋１２０内部と外部とを連通す
る複数の空気抜き穴１２８が間隔をあけて形成されている。
【００５０】
また、塵袋１２０の裏側シートには粘着辺部１２９が上記一側縁のシール部
１２６を超えて側方に延びて一体的に形成され、粘着辺部１２９の表面には粘
着剤１３２が塗布されるとともに、剥離紙１３１が貼り付けられている。
【００５１】
本例ではシュレッダーダストを押し込んだ塵袋１２０を圧縮装置１０によっ
て圧縮した後、図１３の(a)に示されるように、粘着テープ１３０の剥離紙１
３１を剥がし、図１３の(b)に示されるように、粘着封止片部１２９を折り返
して一側縁のシール部１２６上に重ねて粘着させると、空気抜き穴１２８を密
封することができ、これによって塵袋１２０内に空気が侵入せず、圧縮した塵
袋１２０が膨らむことはない。
【００５２】
図１４及び図１５はシュレッダーダスト用塵袋の第４の実施形態を示し、図
５及び図６と同一符号は同一又は相当部分を示す。本例では塵袋１２０は軟質
のポリエチレン樹脂を用いて開口１２１を有する矩形の袋状に製作され、塵袋
１２０の両側部分には複数の空気抜き穴１２５が間隔をあけて形成され、又空
気抜き穴１２５の内側には塵袋の表裏のシートを熱圧着又は接着剤によって固
着した帯状のシール部１２６が形成され、シール部１２６には塵袋の内部と空
気抜き穴１２５との間を連通する細径Ｖ字状の複数の空気流通路１２７が相互
に間隔をあけて形成されている。
【００５３】
塵袋１２０の両側部分の表裏のシートの間にはリボン１３０が挿
通され、リボン１３０には粘着剤を塗布した粘着片部１３１が形成され、リボ
ン１３０を引張ることによって粘着片部１３１を移動させ、空気抜き穴１２５
を密封できるようになっている。また、空気抜き穴１２５の内側には空気抜き穴
１２５の内側には塵袋の表裏のシートを熱圧着又は接着剤によって固着した帯
状のシール部１２６が形成され、シール部１２６には塵袋の内部と空気抜き穴
１２５との間を連通する細径Ｖ字状の複数の空気流通路１２７が相互に間隔を
あけて形成されている。
【００５４】
さらに、塵袋１２０の開口１２１下側部分には雌部と雄部とからなるチャッ
ク１３２が形成され、開口１２１の直下の部分はヒートシール可能となってい
る。
【００５５】
シュレッダーダストを塵袋１２０に押し込んだ後、塵袋１２０のチャック１
３２を閉じ、開口１２１の直下の部位１３３でヒートヒールして開口１２１を
密封した後、塵袋１２０を圧縮装置１０によって加圧すると、塵袋１２０内の
空気は空気流通路１２７及び空気抜き穴１２５を経て外気に放出され、塵袋１
２０を圧縮することができる。その後、リボン１３０を引っ張り、粘着片部１
３１を空気抜き穴１２５の位置まで移動させ、押さえつけると、密着片部１３
１によって空気抜き穴１２８を密封することができ、これによって塵袋１２０
内に空気が侵入せず、圧縮した塵袋１２０が膨らむことはない。
【００５６】
図１６及び図１７はシュレッダーダスト用塵袋の第５の実施形態を示し、図
５及び図６と同一符号は同一又は相当部分を示す。本例では塵袋１２０は軟質
のポリエチレン樹脂を用いて開口１２１を有する矩形の袋状に製作され、塵袋
１２０の両側部分には間隔をあけて固着部分１３７を形成することによって空
気抜き穴１２５が形成されている。
【００５７】
また、空気抜き穴１２５の内側には表裏のシートの間にシート片１３４を介
在させ、シート片１３４と表裏のシートとを通路形状の固着部分１３５を形成
することによって空気流通路１３６が形成され、空気流通路１３６は外気圧を
受けて閉鎖され得るようになっている。
【００５８】
さらに、塵袋１２０の開口１２１下側部分には雌部と雄部とからなるチャッ
ク１３２が形成され、開口１２１の直下の部分はヒートシール可能となってい
る。
【００５９】
シュレッダーダストを塵袋１２０に押し込んだ後、塵袋１２０のチャック１
３２を閉じ、開口１２１の直下の部位１３３でヒートヒールして開口１２１を
密封した後、塵袋１２０を圧縮装置１０によって加圧すると、塵袋１２０内の
空気は空気流通路１３５及び空気抜き穴１２５を経て外気に放出され、塵袋１
２０を圧縮することができる。
【００６０】
塵袋１２０内の空気が十分に放出され、塵袋１２０内の圧力が十分に低くな
ると、空気流通路１３５は外気圧を受けて閉鎖され、外気が塵袋１２０の内部
に侵入することはなく、圧縮した塵袋１２０が膨らむことはない。
【００６１】
図１８は塵袋の圧縮装置の第３の実施形態を示し、図１ないし図３と同一符
号は同一又は相当部分を示す。本例ではＸ状のリンク機構１７，１９に代え、
パンタグラフ状のリンク機構４１を採用している。また、装置側部のボックス
内には公知のヒートシール装置４０が内蔵され、塵袋１２０の開口をヒートシ
ールできるようにしている。
【００６２】
本例の圧縮装置１０の動作は第１の実施形態と同様であるので、その詳細な
説明は省略する。
【００６３】
図１９は塵袋の圧縮装置の第４の実施形態を示し、図１ないし図３と同一符
号は同一又は相当部分を示す。本例ではＸ状リンク１９からなるリンク機構が
採用されるとともに、Ｘ状リンクの間にはアクチュエータ、例えば油圧シリン
ダ４２が設けられ、又下側の加圧プレート１４には円筒状の穿設針４３が２列
に配列され、塵袋１２０の両側部に空気抜き穴１２５を穿設できるようになっ
ている。
【００６４】
図２０は第４の実施形態における塵袋の圧縮装置に用いられる塵袋の例を示
す。塵袋１２０の両側部分の空気抜き穴１２５は圧縮装置１０による圧縮時に
穿設針４３によって穿設されるようになっている。
【００６５】
シュレッダーダストを塵袋１２０に押し込んだ後、塵袋１２０の開口１２１
の直下の部位１３３でヒートヒールして開口１２１を密封した後、塵袋１２０
を圧縮装置１０によって加圧すると、塵袋１２０の両側部分には穿設針４３に
よって空気抜き穴１２５が穿設され、塵袋１２０内の空気は空気抜き穴１２５
を経て外気に放出され、塵袋１２０を圧縮することができる。
【００６６】
塵袋１２０内の空気が十分に放出されて圧縮されると、剥離紙１３１を剥離
し、粘着辺部１２９を折り返して空気抜き穴１２５を密封すると、外気が塵袋
１２０の内部に侵入することはなく、圧縮した塵袋１２０が膨らむことはない
。
【図面の簡単な説明】
【００６７】
【図１】本発明に係る塵袋の圧縮装置の好ましい実施形態を示す正面断面構成図である。
【図２】上記実施形態を示す平面断面構成図である。
【図３】上記実施形態を示す側面断面構成図である。
【図４】上記実施形態におけるギアードモータの制御系を示す構成図である。
【図５】本発明に係るシュレッダーダスト用塵袋の好ましい実施形態を示す正面図である。
【図６】上記実施形態における要部拡大図である。
【図７】上記実施形態における塵袋の圧縮される状態を示す図である。
【図８】塵袋の圧縮装置の第２の実施形態を示す正面断面構成図である。
【図９】上記実施形態を示す平面断面構成図である。
【図１０】シュレッダーダスト用塵袋の第２の実施形態を示す正面図である。
【図１１】上記実施形態における要部拡大図である。
【図１２】シュレッダーダスト用塵袋の第３の実施形態を示す正面図である。
【図１３】上記実施形態における要部拡大図である。
【図１４】シュレッダーダスト用塵袋の第４の実施形態を示す正面図である。
【図１５】上記実施形態における要部拡大図である。
【図１６】シュレッダーダスト用塵袋の第５の実施形態を示す正面図である。
【図１７】上記実施形態における要部拡大図である。
【図１８】塵袋の圧縮装置の第３の実施形態を示す正面断面構成図である。
【図１９】塵袋の圧縮装置の第４の実施形態を示す正面断面構成図である。
【図２０】シュレッダーダスト用塵袋の第６の実施形態を示す正面図である。
【符号の説明】
【００６８】
１０        塵袋の圧縮装置
１１        ケース
１２        扉
１３        ベース板
１４、１５      加圧プレート
１６        コイルばね
１７        傾動アーム（伸縮機構）
１９        Ｘ状リンク（伸縮機構）
２０Ａ、２０Ｂ      雌ねじ部材
２１        回転軸（駆動機構）
２１Ａ      雄ねじ（駆動機構）
２３        ギアードモータ（駆動機構）
４０        ハンドル（駆動機構）
４４        ペダル（駆動機構）
１２０      シュレッダー用塵袋
１２１      開口
１２２      封止片部
１２３      粘着剤
１２４      剥離紙
１２５      空気抜き穴
１２７      空気流通路
１３０      粘着テープ
１３１      剥離紙
１３２      粘着剤
【図１】
2009102065.tif 000003
【図２】
2009102065.tif 000004
【図３】
2009102065.tif 000005
【図４】
2009102065.tif 000006
【図５】
2009102065.tif 000007
【図６】
2009102065.tif 000008
【図７】
2009102065.tif 000009
【図８】
2009102065.tif 000010
【図９】
2009102065.tif 000011
【図１０】
2009102065.tif 000012
【図１１】
2009102065.tif 000013
【図１２】
2009102065.tif 000014
【図１３】
2009102065.tif 000015
【図１４】
2009102065.tif 000016
【図１５】
2009102065.tif 000017
【図１６】
2009102065.tif 000018
【図１７】
2009102065.tif 000019
【図１８】
2009102065.tif 000020
【図１９】
2009102065.tif 000021
【図２０】
2009102065.tif 000022